(57)【要約】      （修正有）【課題】分電盤箱体の中蓋のような箱体の内部に比較的に深く引き込まれている中蓋を、当箱体の外部において取り外し開くことを可能とする蝶番を提供する。【解決手段】第１の羽根部１２１、第２の羽根部１２２及び第３の羽根部１２３よりなる３枚の羽根部と、第１の羽根部１２１と第２の羽根部１２２との間に介在した第１の軸部１２４と第２の羽根部１２２と第３の羽根部１２３との間に介在した第２の軸部１２５とよりなる２個の軸部とを備えてなり、第２の羽根部１２２及び第３の羽根部１２３との間に介在した第２の軸部１２５は抜き差しが可能に構成され、第３の羽根部１２３と第２の羽根部１２２との間で脱着が可能に構成されてなる蝶番１２。【選択図】図２
2005325642.tif 000002
【特許請求の範囲】
【請求項１】
第１の羽根部、第２の羽根部及び第３の羽根部よりなる３枚の羽根部と、前記第１の羽根部と第２の羽根部との間に介在した第１の軸部と前記第２の羽根部と第３の羽根部との間に介在した第２の軸部とよりなる２個の軸部とを備えてなり、前記第２の羽根部は前記第１の羽根部に設けられた孔との間の固着孔を有し、前記第１の羽根部は当該第１の羽根部を箱体などの支持体に固定することができる支持体固定孔を有していると共に、前記第２の羽根部に設けられた固着孔との間の固着孔を有し、前記第３の羽根部は蓋又は扉などの物を取付けることができる取付孔を有してなり、且つ、当該第２の羽根部及び第３の羽根部との間に介在した前記第２の軸部は抜き差しが可能に構成され、当該第３の羽根部と第２の羽根部との間で脱着が可能に構成されてなることを特徴とする蝶番。
【請求項２】
蝶番が、ブレーカを備えた分電盤用蝶番で、第１の羽根部は分電盤の箱体に固定することができる分電盤箱体固定孔を有し、第３の羽根部は箱体内部の中蓋を取付けることができる取付孔を有し、必要に応じて当該箱体内部の中蓋を開き又は前記箱体から外す際には、第１の羽根部に設けられた固着孔と第２の羽根部に設けられた固着孔とに挿通された締結具を外し、抜き差しが可能に構成された第２の軸部において、第３の羽根部を第２の羽根部から脱すことにより、当該第３の羽根部に取り付けられた前記中蓋を開き又は前記箱体から外すことができるようになっていることを特徴とする、請求項１に記載の蝶番。
【発明の詳細な説明】
【技術分野】
【０００１】
本発明は、蝶番に関し、特に、ブレーカを備えた分電盤に使用できる蝶番に関するものである。
【背景技術】
【０００２】
分電盤Ｂは、例えば、図６（Ａ）に示すように、箱体１と取付具２と基板（中板）３と支柱４と中扉（中皿）５と化粧枠６と中皿取付枠７と外扉８とを備えてなっている。
当該基板３は、図示のように、取付馬と称される取付具２により箱体１に取り付けられ、当該基板３には支柱４を立設して中扉５を取付けている。
当該基板３には、主幹ブレーカ（開閉器）９と分岐ブレーカ（開閉器）１０が取り付けられ、当該中扉５には、当該主幹ブレーカ９と分岐ブレーカ１０のそれぞれのハンドル１１を突出しさせる窓孔が開けられている。
図６（Ｂ）は、当該中扉５において当該主幹ブレーカ９と分岐ブレーカ１０のそれぞれのハンドル１１が窓孔から突出しさせる様子を例示している。
当該中扉５は、上記のように、主幹ブレーカ９及び分岐ブレーカ１０のそれぞれのハンドル１１を突出しさせて、当該箱体内部の主幹ブレーカ９及び分岐ブレーカ１０の導電部及びその間の接続導電部Ｓへの接触（感電）を回避するために、箱体の開口部を塞ぐ形で当該箱体１に取付けられている。
主幹ブレーカ９と分岐ブレーカ１０のそれぞれのハンドル操作は、外扉８を開けることにより可能で、当該外扉８を開けると、当該分電盤Ｂは、その箱体１の一面が開口される。
上記のように、主幹ブレーカ９及び分岐ブレーカ１０の導電部及びその間の接続導電部Ｓへの接触（感電）を回避するために中扉５が設けられ、又、化粧枠６により、外部との接触を断っている。
又、当該中扉（中皿）５の取付には、中皿取付枠７が設けられている。
当該中扉５は、上記のように、主幹ブレーカ９及び分岐ブレーカ１０への接触を回避するために、通常は開けられることはないが、ブレーカの点検などの為に、開閉が必要な場合もあるので、例えば、図６（Ａ）に示すように、ヒンジ（蝶番）Ｈを使用して、当該中扉５が開閉できるようにしていることもある。
しかし、当該中扉５は、箱体１の内部に比較的に深く引き込まれた形態で取付けられているので、その開閉や取付け取外しが容易でないなどの欠点がある。
一方、蝶番は、ドアの開閉などの各種用途に使用され、２枚の羽根部や３枚の羽根部を有し、又、２軸のヒンジピンを有するものも開発されており、上記のように、分電盤においても、中扉や外扉の開閉などに、蝶番が使用されているが、上記分電盤の中扉のような箱体の内部に比較的に深く引き込まれた形態で取付けられている場合や箱体との間で段差が設けられている場合などについては、その開閉や取付け取外しは容易ではない。
【特許文献１】特開２００３−２４４８０６号公報、特開２００２−３５９９０７号公報、実開平６−３２６５７号公報、特開平１１−８１７８４号公報、特開２０００−１９２７１６号公報、特開２０００−１５２４３３号公報
【発明の開示】
【発明が解決しようとする課題】
【０００３】
本発明は、前記のような問題点を解消することができる新規の技術を提供することを目的としたものである。
本発明の他の目的や新規な特徴については本件明細書及び図面の記載からも明らかになるであろう。
【課題を解決するための手段】
【０００４】
本発明の特許請求の範囲は、次の通りである。
（請求項１）第１の羽根部、第２の羽根部及び第３の羽根部よりなる３枚の羽根部と、前記第１の羽根部と第２の羽根部との間に介在した第１の軸部と前記第２の羽根部と第３の羽根部との間に介在した第２の軸部とよりなる２個の軸部とを備えてなり、前記第２の羽根部は前記第１の羽根部に設けられた孔との間の固着孔を有し、前記第１の羽根部は当該第１の羽根部を箱体などの支持体に固定することができる支持体固定孔を有していると共に、前記第２の羽根部に設けられた固着孔との間の固着孔を有し、前記第３の羽根部は蓋又は扉などの物を取付けることができる取付孔を有してなり、且つ、当該第２の羽根部及び第３の羽根部との間に介在した前記第２の軸部は抜き差しが可能に構成され、当該第３の羽根部と第２の羽根部との間で脱着が可能に構成されてなることを特徴とする蝶番。
（請求項２）蝶番が、ブレーカを備えた分電盤用蝶番で、第１の羽根部は分電盤の箱体に固定することができる分電盤箱体固定孔を有し、第３の羽根部は箱体内部の中蓋を取付けることができる取付孔を有し、必要に応じて当該箱体内部の中蓋を開き又は前記箱体から外す際には、第１の羽根部に設けられた固着孔と第２の羽根部に設けられた固着孔とに挿通された締結具を外し、抜き差しが可能に構成された第２の軸部において、第３の羽根部を第２の羽根部から脱すことにより、当該第３の羽根部に取り付けられた前記中蓋を開き又は前記箱体から外すことができるようになっていることを特徴とする、請求項１に記載の蝶番。
【発明の効果】
【０００５】
本発明によれば、通常は、蝶番における第１の羽根部に設けられた固着孔と第２の羽根部に設けられた固着孔とに締結具を挿通して、中蓋を閉じておき、ブレーカの点検等の為に、当該中蓋を開きたい時には、当該締結具を外すと、当該蝶番は、第１の羽根部、第２の羽根部及び第３の羽根部の３枚の羽根部よりなるので、当該第１の羽根部及び第２の羽根部の固着が解かれて当該第２の羽根部が伸び、又、それに伴い、第３の羽根部も当該第２の羽根部から伸びて、当該３枚の羽根部が展開して、当該第２の羽根部と第３の羽根部とを連結している第２の軸部が分電盤の箱体の外部に出るので、当該第２の軸部において、第３の羽根部を第２の羽根部から脱すことにより、当該中蓋を開くことができるようになっている。
即ち、当該第２の軸部は、抜き差しが可能に構成されているので、当該第２の軸部において、第３の羽根部を第２の羽根部から脱すことができ、延ては、中蓋を開口できるようになっている。
このように、分電盤箱体の中蓋のような箱体の内部に比較的に深く引き込まれていて、当該内部では中蓋が箱体の天井壁に当接して開閉しづらいような場合でも、本発明による蝶番を使用することにより、分電盤箱体の外部に引き出せるだけでなく、２軸の軸部の一方が抜き差しが可能なので、箱体の外部において中蓋を取り外し開くことができる。抜き差しが可能なので、再び、中蓋を第３の羽根部に取付け、閉じることができる。
【発明を実施するための最良の形態】
【０００６】
図１（Ａ）及び（Ｂ）に示すように、蝶番１２は、第１の羽根部１２１、第２の羽根部１２２及び第３の羽根部１２３よりなる３枚の羽根部と、前記第１の羽根部１２１と第２の羽根部１２２との間に介在した第１の軸部１２４と前記第２の羽根部１２２と第３の羽根部１２３との間に介在した第２の軸部１２５とよりなる２個の軸部とを備えてなる。
当該第２の軸部１２５は抜き差しが可能に構成されており、図１（Ｃ）に示すように、第３の羽根部１２３を第２の羽根部１２２から上方向に脱すことができるようになっている。
図１（Ｄ）及び（Ｅ）に示すように、蝶番１２は、図示右側の第１の羽根部１２１、第２の羽根部１２２、第１の軸部１２４及び第２の軸部１２５のヒンジ１２５０の下半分とヒンジピン（ヒンジ軸）１２５１よりなる部分と、図示左側の第３の羽根部１２３と第２の軸部１２５のヒンジ１２５０の上半分とよりなる部分とに、分離される。
尚、第１の軸部１２４は、図示のように、ヒンジ１２４０とヒンジピン（ヒンジ軸）１２４１とよりなる
【０００７】
図１（Ａ）及び（Ｂ）に示すように、当該蝶番１２における第１の羽根部１２１には、上下方向に３つの孔１２７，１２６，１２７が開けられている。当該第１の羽根部１２１
におけるその中央の孔１２６は、第２の羽根部１２２の中央に設けられた固着孔１２８との間の固着孔である。当該第１の羽根部１２１における当該中央の固着孔１２６の上下に離隔して設けられた２つの孔１２７、１２７は、当該蝶番１２の第１の羽根部１２１を箱体などの支持体に固定することができる支持体固定孔である。
上記のように第２の羽根部１２２には、当該第１の羽根部１２１に設けられた固着孔１２６との間の固着孔１２８が設けられている。
当該第２の羽根部１２２は、後述のように、通常の中扉５を閉めておくときには、第１の羽根部１２１側に折曲げられ、当該第１の羽根部１２１と当接され、これら第１の羽根部１２１の固着孔１２６と第２の羽根部１２２の固着孔１２８との間に、例えば皿ビスとビス又はボルト及びナットの組合わせからなる締結具の皿ビス、ボルトを挿通し、ビス、ナットを例えば分電盤の箱体に止着して、当該第１の羽根部１２１を備えた蝶番１２を介して中扉５を当該分電盤の箱体に固定することができる。
前記第３の羽根部１２３には、図示のように、上下方向に２つの蓋又は扉などの物を取付けることができる取付孔１２９，１２９が設けられており、例えば、分電盤の中蓋５が、例えば皿ビスにより当該取付孔１２９、１２９を利用して取付られる。
【０００８】
図２（Ａ）に示すように、前記の図１（Ｄ）及び（Ｅ）に示す分離された蝶番１２の図示右側の第１の羽根部１２１、第２の羽根部１２２、第１の軸部１２４及び第２の軸部１２５のヒンジ１２５０の下半分とヒンジピン（ヒンジ軸）１２５１よりなる部分を、その図示が省略されているが当該分離蝶番１２の第１の羽根部１２１における２つの支持体固定孔１２７に、例えば皿ビスＥを挿通させて、当該分離蝶番の第１の羽根部１２１を分電盤の箱体１に固定する。
一方、図２（Ａ）に示すように、中蓋５に、前記した第３の羽根部１２３と第２の軸部１２５のヒンジ１２５０の上半分とよりなる蝶番１２の左側部分を、その図示が省略されているが、第３の羽根部１２３の取付孔１２９に、例えば皿ビスＧを用いて取付けておく。
前記のように、第２の軸部１２５は抜き差しが可能に構成されているので、図２（Ａ）の矢標で示すように、中蓋５を取付けた第３の羽根部１２３に隣接するヒンジ１２５０を、第２の羽根部１２２に隣接するヒンジ１２５０に、第２の軸部１２５の露出したヒンジピン（ヒンジ軸）１２５１を位置決めとして、装着する。
図２（Ｂ）は、第３の羽根部１２３を第２の羽根部１２２に装着した例を図示してある。
図２（Ｃ）に示すように、当該第２の羽根部１２２を、第１の羽根部１２１側に折曲げ、図２（Ｄ）に示すように、当該第１の羽根部１２１と当接し、第１の羽根部１２１の固着孔１２６と第２の羽根部１２２の固着孔１２８との間に、例えば皿ビスＥに加えてビスＦを止着し、更に、図２（Ｄ）に矢標で示すように第３の羽根部１２３を回転させ、図２（Ｅ）に示すように、当該第１の羽根部１２１及び第２の羽根部１２２の上部に第３の羽根部１２３を展開して、当該蝶番１２を介して中蓋５にて当該分電盤の箱体１の開口面を閉鎖する。
当該中蓋５により閉鎖された分電盤の箱体１において、図２（Ｅ）に示す状態から、必要に応じて当該箱体１内部の中蓋５を開く際には、上記した第１の羽根部１２１に設けられた固着孔１２６と第２の羽根部１２２に設けられた固着孔１２８とに挿通された締結具Ｆを外す。
当該締結具Ｆを外すと、第１の羽根部１２１と第２の羽根部１２２との固着が解かれ、第２の羽根部１２２が第１の羽根部１２１から下落し、又、第３の羽根部１２３も下落し、元の図２（Ａ）に示す状態に戻る。
図２（Ｄ）のＸで示すラインでは、抜き差しが可能に構成された第２の軸部１２５であっても、第３の羽根部１２３を第２の羽根部１２２から脱すことが出来ないが、図２（Ｄ）のＹで示すラインに展開することにより、当該第２の軸部１２５は、その抜き差しが可能になり、当該箱体１の外部のＹラインにて、第３の羽根部１２３を第２の羽根部１２２から脱すことが出来、それにより、当該第３の羽根部１２３に取り付けられた中蓋５を取り外し開くことができる。
【０００９】
図３は、当該蝶番１２を適用した分電盤の平面図で、前記図６に示す従来例よりも箱体内部が簡略化された分電盤箱体に本発明の当該蝶番１２を適用した例を示す。
前記の図６に示すように、従来例では、その分電盤は、例えば、箱体１と取付具２と基板（中板）３と支柱４と中扉（中皿）５と化粧枠６と中皿取付枠７と外扉８とを備えてなっており、当該基板３が取付馬と称される取付具２により箱体１に取り付けられ、当該基板３には支柱４を立設して中扉５が取り付けられている。又、中扉５と箱体１には化粧枠６が設けられている。更には、その図示が省略されているが、当該中扉（中皿）５の取付に、中皿取付枠７が設けられている。
図３に示す分電盤箱体は、簡略化された分電盤箱体で、従来例のような支柱４を設けず、基板（中板）３を、図示のようなひの字状に構成した基板３０とし、その両端部を、例えば、ボルトとひの字状の支持金物１３により止着する。
図３に示すように、蝶番１２を分電盤の箱体１に取り付ける。図２（Ｂ）に示すように蝶番１２の第３の羽根部１２３に中扉（中皿）５の片端部を取り付ける。
前記の図２（Ｃ）に示すように、当該第２の羽根部１２２を、第１の羽根部１２１側に折曲げ、図２（Ｄ）に示すように、当該第１の羽根部１２１と当接し、第１の羽根部１２１の固着孔１２６と第２の羽根部１２２の固着孔１２８との間に、例えば皿ビスＥに加えてビスＦを止着し、更に、図２（Ｄ）に矢標で示すように第３の羽根部１２３を回転させ、図２（Ｅ）に示すように、当該第１の羽根部１２１及び第２の羽根部１２２の上部に第３の羽根部１２３を展開して、当該蝶番１２を介して中蓋５にて当該分電盤の箱体１の開口面を閉鎖する。
当該中扉（中皿）５の他方片端部は、図示のように、ローレット１４により、箱体１に取付ける。
当該分電盤箱体によれば、従来例の支柱４が不要となり、又、従来例の化粧枠６や中扉（中皿）５の取付に必要な中皿取付枠７が不要となる。
従って、従来例の分電盤における支柱、化粧枠及び中皿取付枠７が不要となるので、部品点数が軽減され、簡単な組立にて短時間に分電盤を組立でき、又、重量のある支柱４などが無くなるので、分電盤が軽量化され、分電盤の輸送が楽になる。
【００１０】
図３に示す分電盤箱体では、図４に示すように、箱体１の外扉８を外し、ローレット１４を外し、前記のように、第３の羽根部１２３を第２の羽根部１２から脱すと、当該中蓋５を取り外し容易に開くことができる。
従来例のような支柱４を設けず、基板（中板）３を、図示のようなひの字状に構成した基板３０としたので、基板３０と中扉５との間のスペースを拡大させることができる。
図５に示すように、当該基板３０を止着しているボルトとひの字状の支持金物１３を伸長して、当該基板３０と中扉（中皿）５との間の当該スペースを広げることが出来る。
上記のように、本発明による蝶番を使用することにより、中蓋５の開閉が容易になったので、分電盤の点検などが容易になり、ブレーカ等の内機の脱着も容易になった。
更には、従来例では、支柱があり、当該支柱の存在のために、ブレーカの配置スペースが狭かったが、支柱が無くなったので、当該スペースが広くなり、且つ、当該スペースを有効利用することができるようになった。
更に又、配線における電線が結束し易くなった。、
【００１１】
本発明では、前記実施例に限定されず、適宜変更が可能である。
【産業上の利用可能性】
【００１２】
本発明の蝶番は、上記では、分電盤箱体に適用した例を示したが、制御盤、配電盤などの箱体などの支持体を有しその内部に比較的に奥に引き込まれているような内部扉や蓋等の外部に出せば取り外せるような場合に有効に適用できる。
【図面の簡単な説明】
【００１３】
【図１】（Ａ）本発明の実施例を示す蝶番の組立て平面図である。        （Ｂ）本発明の実施例を示す蝶番の組立て正面図である。        （Ｃ）本発明の実施例を示す蝶番の第３の羽根部の取脱正面図である。        （Ｄ）本発明の実施例を示す蝶番の分離平面図である。        （Ｅ）本発明の実施例を示す蝶番の分離正面図である。
【図２】（Ａ）本発明の実施例を示す蝶番の組立て前の説明図である。        （Ｂ）本発明の実施例を示す蝶番の組立て後の説明図である。        （Ｃ）本発明の実施例を示す蝶番の第２の羽根部を第１の羽根部に止着説明図で          ある。        （Ｄ）本発明の実施例を示す蝶番の開き状態の平面図である。        （Ｅ）本発明の実施例を示す蝶番の取付状態の平面図である。
【図３】本発明の蝶番を適用した分電盤箱体の実施例を示す構成図である。
【図４】同箱体の外扉及び中蓋の開き状態の実施例を示す構成図である。
【図５】基板の拡張状態を示す構成図である。
【図６】（Ａ）従来例を示す分電盤箱体の構成図である。        （Ｂ）ブレーカと中蓋の説明図である。
【符号の説明】
【００１４】
１        箱体
５        中蓋
９        主幹ブレーカ
９        分岐ブレーカ
１２      蝶番
１２１    第１の羽根部
１２２    第２の羽根部
１２３    第３の羽根部
１２４    第１の軸部
１２５    第２の軸部
１２６    固着孔
１２７    支持体固着孔
１２８    固着孔
１２９    取付孔
Ｂ        分電盤
【図１】
2005325642.tif 000003
【図２】
2005325642.tif 000004
【図３】
2005325642.tif 000005
【図４】
2005325642.tif 000006
【図５】
2005325642.tif 000007
【図６】
2005325642.tif 000008